(57)【要約】【課題】インターネットを介して、電子メール通信が可能なファクシミリ装置において、電子メール送信をするか、ファクシミリ送信をするか、送信を中断するかを自動決定することができるファクシミリ装置を提供することを目的とするものである。【解決手段】インターネットを介して、電子メール通信可能なファクシミリ装置において、相手先に対応して、ファクシミリ通信用の電話番号と、電子メールアドレスと、カラー受信機能の有無とを登録する登録手段と、カラー送信を選択する選択手段と、電子メールの添付ファイルとして、送信情報を送信する送信手段と、情報を送信することが選択されたときに、カラー送信選択の有無と、相手先におけるカラー受信機能の有無と、電子メールアドレスの登録の有無とに基づいて、送信情報を送信する方法を決定する送信方法決定手段とを有する。【選択図】　図１
2004088669.tif 000002
【特許請求の範囲】
【請求項１】
インターネットを介して、電子メール通信可能なファクシミリ装置において、
相手先に対応して、ファクシミリ通信用の電話番号と、電子メールアドレスと、カラー受信機能の有無とを登録する登録手段と；
カラー送信を選択する選択手段と；
電子メールの添付ファイルとして、送信情報を送信する送信手段と；
情報を送信することが選択されたときに、カラー送信選択の有無と、相手先におけるカラー受信機能の有無と、電子メールアドレスの登録の有無とに基づいて、送信情報を送信する方法を決定する送信方法決定手段と；
を有することを特徴とするファクシミリ装置。
【請求項２】
請求項１において、
上記送信方法決定手段は、カラー送信が選択されていないときに、相手先の電子メールアドレスが登録されていれば、電子メールの添付ファイルとして、送信情報を送信する手段であることを特徴とするファクシミリ装置。
【請求項３】
請求項１において、
上記送信方法決定手段は、相手先の電子メールアドレスが未登録であれば、送信情報をファクシミリ情報として送信する手段であることを特徴とするファクシミリ装置。
【請求項４】
請求項１において、
上記送信方法決定手段は、カラー送信が選択されていると、相手先に対応して記憶されているカラー受信機能の有無の情報を判定し、送信情報の送信方法を決定する手段であることを特徴とするファクシミリ装置。
【請求項５】
請求項４において、
上記送信方法決定手段は、相手先にカラー受信機能が有ることが登録され、しかも、相手先の電子メールアドレスが登録されていれば、送信情報を電子メールの添付ファイルとして送信する手段であることを特徴とするファクシミリ装置。
【請求項６】
請求項４または請求項５において、
上記送信方法決定手段は、相手先にカラー受信機能がないことが登録されていれば、上記送信情報を送信しない手段であることを特徴とするファクシミリ装置。
【請求項７】
請求項４〜請求項６のいずれか１項において、
上記送信方法決定手段は、相手先に対応して記憶されているカラー受信機能の有無が未登録であると、相手先に対応して登録されているファクシミリ番号に発呼し、カラー受信機能の有無を相手先に対応した情報に登録するとともに、相手受信機にカラー受信機能があれば、ファクシミリカラー送信を実行する手段であることを特徴とするファクシミリ装置。
【請求項８】
請求項７において、
上記送信方法決定手段は、相手先に対応して記憶されているカラー受信機能の有無が未登録であれば、相手先に対応して登録されているファクシミリ番号に発呼し、カラー受信機能の有無を、相手先に対応した情報に登録するとともに、相手受信機にカラー受信機能がなければ、カラーファクシミリ送信を実行しない手段であることを特徴とするファクシミリ装置。
【請求項９】
請求項１〜請求項８のいずれか１項において、
カラー送信が選択されているときに、相手機にカラー受信機能がなければ、モノクロ送信を許可するか否かを選択する手段を有し、
上記送信方法決定手段は、上記選択情報に基づいて、カラー送信が選択され、相手受信機にカラー受信機能がない場合における送信情報の送信方法を決定する手段であることを特徴とするファクシミリ装置。
【請求項１０】
請求項９において、
上記送信方法決定手段は、カラー送信が選択され、相手機にカラー受信機能がなければ、モノクロ送信を許可する場合は、相手先にカラー受信機能がないことが登録され、相手先の電子メールアドレスが登録されていれば、送信情報を電子メールの添付ファイルとしてモノクロ送信する手段であることを特徴とするファクシミリ装置。
【請求項１１】
請求項１０において、
上記送信方法決定手段は、カラー送信が選択され、相手機にカラー受信機能がなければ、モノクロ送信を許可する場合、相手先にカラー受信機能がないことが登録され、相手先の電子メールアドレスが未登録であれば、送信情報をファクシミリ情報としてモノクロ送信する手段であることを特徴とするファクシミリ装置。
【請求項１２】
請求項９〜請求項１１のいずれか１項において、
上記送信方法決定手段は、相手先に対応して記憶されているカラー受信機能の有無として未登録であると、相手先に対応して登録されているファクシミリ番号に発呼し、カラー受信機能の有無を、相手先に対応した情報に登録するとともに、相手受信機にカラー受信機能があれば、ファクシミリカラー送信する手段であることを特徴とするファクシミリ装置。
【請求項１３】
請求項１２において、
上記送信方法決定手段は、相手先に対応して記憶されているカラー受信機能の有無が未登録であれば、相手先に対応して登録されているファクシミリ番号に発呼し、カラー受信機能の有無を相手先に対応した情報に登録するとともに、相手受信機にカラー受信機能がなく、カラー送信が選択されれば、モノクロ送信を許可する場合、モノクロファクシミリ送信を実行する手段であることを特徴とするファクシミリ装置。
【請求項１４】
インターネットを介して、電子メール通信可能なファクシミリ装置の制御方法において、
相手先に対応して、ファクシミリ通信用の電話番号と、電子メールアドレスと、カラー受信機能の有無とを登録する登録段階と；
カラー送信を選択する選択段階と；
電子メールの添付ファイルとして、送信情報を送信する送信段階と；
情報を送信することが選択されたときに、カラー送信選択の有無と、相手先におけるカラー受信機能の有無と、電子メールアドレスの登録の有無とに基づいて、送信情報を送信する方法を決定する送信方法決定段階と；
を有することを特徴とするファクシミリ装置の制御方法。
【発明の詳細な説明】
【０００１】
【発明の属する技術分野】
本発明は、ファクシミリ装置、特に、電子メール通信と、カラーファクシミリ通信とが可能なファクシミリ装置に関するものである。
【０００２】
【従来の技術】
従来のファクシミリ装置は、ＰＳＴＮを介して、端末間で行うファクシミリ通信が主流である。この場合、送信機では、セットされた原稿情報を読み取り、送信し、一方、受信機では、受信情報を記録する。
【０００３】
上記従来のファクシミリ装置は、原稿情報を送信し、受信機側でそのコピー画像を作成する装置としては、非常に便利であるが、一方、最近のインターネットの普及に伴い、電子メール通信の使用頻度が大きく増し、ファクシミリ装置に電子メール通信機能を具備する装置が考えられるが、両装置の機能の使い方は、全て、ユーザの設定に任されている。
【０００４】
【発明が解決しようとする課題】
しかし、上記従来例においては、ＰＳＴＮを使用するファクシミリ通信を実行するのか、または、インターネットを使用する電子メール通信を実行するのかは、ユーザが設定し、使用するので、間違いが無く、ユーザが希望する通信方式で確実に通信することができるというメリットがあるが、ユーザは、常に回線を選択しなければならず、回線選択の操作が煩雑であるという問題がある。
【０００５】
本発明は、インターネットを介して、電子メール通信が可能なファクシミリ装置において、電子メール送信をするか、ファクシミリ送信をするか、送信を中断するかを自動決定することができるファクシミリ装置を提供することを目的とするものである。
【０００６】
【課題を解決するための手段】
本発明は、インターネットを介して、電子メール通信可能なファクシミリ装置において、相手先に対応して、ファクシミリ通信用の電話番号と、電子メールアドレスと、カラー受信機能の有無とを登録する登録手段と、カラー送信を選択する選択手段と、電子メールの添付ファイルとして、送信情報を送信する送信手段と、情報を送信することが選択されたときに、カラー送信選択の有無と、相手先におけるカラー受信機能の有無と、電子メールアドレスの登録の有無とに基づいて、送信情報を送信する方法を決定する送信方法決定手段とを有するファクシミリ装置である。
【０００７】
【発明の実施の形態および実施例】
［第１の実施例］
図１は、本発明の第１の実施例であるファクシミリ装置ＦＳ１を示すブロック図である。
【０００８】
ファクシミリ装置ＦＳ１において、ＮＣＵ（網制御装置）２は、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御によって、電話回線２ａを電話機側に接続（ＣＭＬオフ）し、電話回線２ａをファクシミリ装置側に接続（ＣＭＬオン）するものである。なお、通常状態では、電話回線２ａは、電話機４側に接続されている。
【０００９】
ハイブリッド回路６は、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で変復調器８に送るものである。
【００１０】
変復調器８は、ＩＴＵ−Ｔ勧告Ｖ．８、Ｖ．２１、Ｖ．２７ｔｅｒ、Ｖ．２９、Ｖ．１７、Ｖ．３４に基づいた変調と復調とを行う変復調器であり、バス２６の制御によって、各伝送モードが指定される。変復調器８は、バス２６からの送信信号を入力し、変調データを信号線８ａに出力し、信号線６ａに出力されている受信信号を入力し、復調データをバス２６に出力する。
【００１１】
発呼回路１０は、バス２６からの信号によって、電話番号情報を入力し、信号線１０ａにＤＴＭＦの選択信号を出力する。
【００１２】
加算回路１２は、信号線８ａの情報と信号線１０ａの情報とを入力し、加算した結果を信号線１２ａに出力する。
【００１３】
読取回路１４は、カラー情報を読み取り可能な読取回路であり、読み取りデータをバス２６に出力する。
【００１４】
記録回路１６は、カラー情報を記録可能な記録回路であり、バス２６に出力されている情報を順次１ライン毎に記録する。
【００１５】
メモリ回路１８は、ワーク用のメモリ（ＲＡＭ）、さらに、読み取りデータの生情報、または、符号化した情報を格納し、また、受信情報、または、復号化した情報等を、バス２６を介して、格納するために使用する。
【００１６】
図２は、上記実施例において、ワンタッチダイヤルに対応して、ＦＡＸ番号、電子メールアドレス、カラー受信機能の有無がメモリ回路１８に登録されている例を示す図である。
【００１７】
メモリ回路１８には、ワンタッチダイヤルに対応して、ＦＡＸ番号、電子メールアドレス、カラー受信機能の有無を登録するメモリがあり、たとえば、図２に示すように登録されている。
【００１８】
ワンタッチ０１には、ＦＡＸ番号、電子メールアドレスが登録され、ファクシミリ通信時に判断したカラー受信機能がある。ワンタッチ０２には、ＦＡＸ番号、電子メールアドレスが登録され、ファクシミリ通信時に判断したカラー受信機能がない。ワンタッチ０３には、ＦＡＸ番号、電子メールアドレスが登録され、カラー受信機能はまだ不明であり未登録である。ワンタッチ０４には、ＦＡＸ番号が登録され、電子メールアドレスが未登録であり、ファクシミリ通信時に判断したカラー受信機能がある。ワンタッチ０５には、ＦＡＸ番号が登録され、電子メールアドレスが未登録であり、ファクシミリ通信時に判断したカラー受信機能がない。ワンタッチ０６には、ＦＡＸ番号が登録され、電子メールアドレスが未登録であり、カラー受信機能はまだ不明であり、未登録である。
【００１９】
操作部２０は、ワンタッチダイヤル、短縮ダイヤル、テンキー、＊キー、＃キー、スタートキー、ストップキー、セットキー、送信選択キー、カラー送信選択キー、メモリ１８への登録キー、その他のファンクションキーを有し、押下されたキー情報は、バス２６に出力される。また、操作部２０には、表示部があり、バス２６に出力されている情報を入力し、表示する。
【００２０】
ＣＰＵ（中央処理装置）２２は、ファクシミリ装置ＦＳ１の全体を制御したり、ファクシミリ伝送制御手順を実行するが、その制御プログラムは、ＲＯＭ２４に格納される。
【００２１】
サービスプロバイダ２８は、信号線２８ａを介して、ＰＳＴＮ３０に接続され、信号線２８ｂを介してインターネット３２に接続される。
【００２２】
ＲＯＭ２４には、次の制御プログラムが格納されている。つまり、インターネットを介して電子メール通信が可能なファクシミリ装置において、相手先に対応してファクシミリ通信用の電話番号と、電子メールアドレスと、カラー受信機能の有無とを登録する手段と、カラー送信の選択手段と、送信情報を電子メールの添付ファイルとして送信する手段と、情報送信が選択されているときに、カラー送信の選択の有無、相手先のカラー受信機能の有無、電子メールアドレスの登録の有無に基づいて、送信情報の送信方法を決定する送信情報決定手段とを実現する制御プログラムが、ＲＯＭ２４に格納されている。
【００２３】
この制御プログラムにおいて、カラー送信が選択されていないときに、相手先の電子メールアドレスが登録されていれば、送信情報を電子メールの添付ファイルとして送信し、相手先の電子メールアドレスが未登録であれば、送信情報をファクシミリ情報として送信する手順が含まれている。
【００２４】
また、上記プログラムにおいて、カラー送信が選択されていると、相手先に対応して記憶されているカラー受信機能の有無の情報を判定し、送信情報の送信方法を決定する手順が含まれている。具体的には、相手先に対応して記憶されているカラー受信機能の有無として有りが登録されていると、相手先の電子メールアドレスが登録されていれば、送信情報を電子メールの添付ファイルとして送信し、相手先に対応して記憶されているカラー受信機能の有無として無しが登録されていると、上記送信情報を送信しない。
【００２５】
一方、相手先に対応して記憶されているカラー受信機能の有無が未登録であると、相手先に対応して登録されているファクシミリ通信用の電話番号に発呼し、カラー受信機能の有無を相手先に対応した情報に登録するとともに、相手受信機にカラー受信機能があれば、ファクシミリカラー送信を実行し、相手受信機にカラー受信機能がなければ、カラーファクシミリ送信を実行しない。
【００２６】
上記制御プログラムが、ＲＯＭ２４に格納されている。
【００２７】
図４、図５、図６、図７は、上記実施例の動作を示すフローチャートである。
【００２８】
Ｓ２では、バス２６を介して、メモリ１８をイニシャライズし、Ｓ４では、バス２６を介して、操作部２０の表示部をクリアし、Ｓ６では、バス２６を介してＮＣＵ２のＣＭＬをオフする。
【００２９】
Ｓ８では、バス２６を介して操作部２０の情報を入力し、ワンタッチダイヤルに対応してＦＡＸ番号、電子メールアドレスの登録が選択されたか否かを判断し、ＦＡＸ番号、電子メールアドレスの登録が選択されていれば、ステップＳ１０に進み、ＦＡＸ番号、電子メールアドレスの登録が選択されていないと、ステップＳ１２に進む。
【００３０】
Ｓ１０では、バス２６を介して、メモリ１８にワンタッチダイヤルに対応し、ＦＡＸ番号、電子メールアドレスを、たとえば、図２に示すように登録する。ここで、図２において、ワンタッチへの登録が終了した後に、ワンタッチダイヤル０１、０２、０４、０５に対して、登録後、ファクシミリ通信が行われ、カラー受信機能の有無が登録されている。
【００３１】
Ｓ１２では、送信が選択されたか否かを判断し、ＹＥＳであるとＳ１６に進み、ＮＯであると、Ｓ１４に進み、その他の処理をする。
【００３２】
Ｓ１６では、バス２６を介して、ＮＣＵ２のＣＭＬをオンする。
【００３３】
Ｓ１７では、バス２６を介して操作部２０の情報を入力し、カラー送信が選択されたか否かを判断し、ＹＥＳであるとＳ３２に進み、ＮＯであるとＳ１８に進む。
【００３４】
Ｓ１８では、ワンタッチダイヤルに対応して電子メールアドレスが登録されているか否かを判断し、ワンタッチダイヤルに対応して電子メールアドレスが登録されていれば、ステップＳ２０に進み、ワンタッチダイヤルに対応して電子メールアドレスが登録されていなければ、ステップＳ２４に進む。
【００３５】
Ｓ２０では、バス２６を介して、発呼回路を使用し、サービスプロバイダへ発呼し、Ｓ２２では、送信情報をモノクロ情報とし、電子メールの添付ファイルとして送信し、Ｓ２４では、バス２６を介して、発呼回路を使用し、指定されたワンタッチダイヤルの宛先へ発呼し、Ｓ２６では、前手順を実行し、ここで、受信機のカラー受信機能の有無を、メモリ１８に該当するワンタッチに対応し、登録する。
【００３６】
Ｓ２８では、モノクロ画信号を送信し、Ｓ３０では、後手順を実行し、Ｓ３２では、ワンタッチダイヤルに対応してカラー受信機能ありが登録されているか否かを判断し、ワンタッチダイヤルに対応してカラー受信機能ありが登録されていれば、ステップＳ３６に進み、ワンタッチダイヤルに対応してカラー受信機能ありが登録されていなければ、ステップＳ３４に進む。
【００３７】
Ｓ３６では、バス２６を介して、発呼回路を使用し、サービスプロバイダへ発呼し、Ｓ３８では、送信情報をカラー情報とし、電子メールの添付ファイルとして送信する。
【００３８】
Ｓ３４では、ワンタッチダイヤルに対応してカラー受信機能無しと登録されているか否かを判断し、ワンタッチダイヤルに対応してカラー受信機能無しと登録されていれば、ステップＳ４０に進み、ワンタッチダイヤルに対応してカラー受信機能無しと登録されていなければ、すなわち、未登録であれば、ステップＳ４２に進む。
【００３９】
Ｓ４０では、バス２６を介して、操作部２０の表示部に「相手機にカラー受信機能がないので送信をしません。」と表示し、この表示は、何らかのキー操作で消去し、Ｓ４２では、バス２６を介して、発呼回路を使用し、指定されたワンタッチダイヤルの宛先へ発呼する。
【００４０】
Ｓ４４では、前手順を実行し、ここで、受信機のカラー受信機能の有無をメモリ１８に該当するワンタッチに対応し、登録する。
【００４１】
Ｓ４６では、相手受信機にカラー受信機能があるか否かを判断し、相手受信機にカラー受信機能があれば、ステップＳ４８に進み、相手受信機にカラー受信機能がなければ、ステップＳ４０に進む。
【００４２】
Ｓ４８では、カラー画信号を送信し、Ｓ５０では、後手順を実行する。
【００４３】
［第２の実施例］
本発明の第２の実施例は、第１の実施例において、カラー送信が選択されたときに、相手機にカラー受信機能がなければ、モノクロ送信を許可するか否かを選択する手段を有し、この選択情報に基づいて、カラー送信が選択され、相手受信機にカラー受信機能がない場合における送信情報の送信方法を決定する実施例である。
【００４４】
カラー送信が選択され、相手機にカラー受信機能がないときに、モノクロ送信を許可する場合は、相手先に対応して記憶されているカラー受信機能の有無として無しが登録され、相手先の電子メールアドレスが登録されていれば、送信情報を電子メールの添付ファイルとしてモノクロ送信する。また、カラー送信が選択され、相手機にカラー受信機能が無く、モノクロ送信を許可する場合は、相手先に対応して記憶されているカラー受信機能の有無として無しが登録され、相手先の電子メールアドレスが未登録であれば、送信情報をファクシミリ情報としてモノクロ送信する。
【００４５】
一方、相手先に対応して記憶されているカラー受信機能の有無として未登録であれば、相手先に対応して登録されているファクシミリ通信用の電話番号に発呼し、カラー受信機能の有無を相手先に対応した情報に登録するとともに、相手受信機にカラー受信機能があれば、ファクシミリカラー送信を実行する。また、相手先に対応して記憶されているカラー受信機能の有無として未登録であると、相手先に対応して登録されているファクシミリ通信用の電話番号に発呼し、カラー受信機能の有無を相手先に対応した情報に登録するとともに、相手受信機にカラー受信機能がなければ、カラー送信が選択され、相手機にカラー受信機能が無く、モノクロ送信を許可する場合は、モノクロファクシミリ送信を実行する。
【００４６】
上記のようにすれば、カラー送信が選択され、相手機にカラー受信機能が無く、モノクロ送信を許可しない場合は、第１の実施例の制御を実行する。
【００４７】
図３は、上記実施例において、カラー送信が選択され、相手機にカラー受信機能がない場合に、モノクロ送信を許可するか否かが登録されている例を示す図である。
【００４８】
メモリ回路１８には、カラー送信が選択され、相手機にカラー受信機能が無く、モノクロ送信を許可するか否かを格納するメモリが設けられ、バス２６を介して、たとえば、図３に示すように登録されている。ここでは、する、しないのどちらかが登録される。
【００４９】
図８は、第２の実施例の動作を示すフローチャートであり、第１の実施例における動作とは異なる動作のみが示されている。
【００５０】
Ｓ６２では、バス２６を介して、操作部２０の情報を入力し、カラー送信が選択され、相手機にカラー受信機能がない場合に、モノクロ送信を許可するか否かを示す登録が選択されたか否かを判断し、モノクロ送信を許可するか否かを示す登録が選択されていれば、ステップＳ６４に進み、メモリ１８にバス２６を介して、カラー送信が選択され、相手機にカラー受信機能がない場合に、モノクロ送信を許可するか否かを、たとえば、図３に示すように登録し、モノクロ送信を許可するか否かを示す登録が選択されていなければ、ステップＳ６６（Ｓ８）に進む。
【００５１】
Ｓ６８では、ステップＳ３４のＹＥＳを表し、Ｓ７０では、バス２６を介して、メモリ１８の情報を入力し、カラー送信が選択され、相手機にカラー受信機能がなければモノクロ送信を許可すると登録されているか否かを判断し、相手機にカラー受信機能がなければモノクロ送信を許可すると登録されていれば、ステップＳ７４（Ｓ１８）に進み、相手機にカラー受信機能がなければモノクロ送信を許可すると登録されていなければ、ステップＳ７２（Ｓ４０）に進む。
【００５２】
Ｓ７６では、ステップＳ４６のＮＯを表している。
【００５３】
Ｓ７８では、バス２６を介して、メモリ１８の情報を入力し、カラー送信が選択され、相手機にカラー受信機能がなければモノクロ送信を許可すると登録されているか否かを判断し、相手機にカラー受信機能がなければモノクロ送信を許可すると登録されていれば、ステップＳ８０（Ｓ２８）に進み、相手機にカラー受信機能がなければモノクロ送信を許可すると登録されていなければ、ステップＳ８２（Ｓ４０）に進む。
【００５４】
【発明の効果】
請求項１〜８、１４記載の発明によれば、インターネットを介して、電子メール通信が可能なファクシミリ装置において、相手先に対応してファクシミリ通信用の電話番号と、電子メールアドレスと、カラー受信機能の有無とを登録する手段と、カラー送信の選択手段と、送信情報を電子メールの添付ファイルとして送信する手段とを有し、情報送信が選択されたときに、カラー送信の選択の有無と、相手先のカラー受信機能の有無と、電子メールアドレスの登録の有無とに基づいて、カラー情報の送信が選択されていないときは、電子メールアドレスの登録の有無に基づいて、電子メール送信を優先的に実行することができ、カラー情報の送信が選択されているときは、相手受信機のカラー受信機の有無の登録情報に基づいて、電子メール送信、ファクシミリ送信、送信中断のいずれかをファクシミリ装置が自動的に決定するので、ユーザにとって使い易いという効果を奏する。
【００５５】
請求項９〜１３記載の発明によれば、インターネットを介して、電子メール通信が可能なファクシミリ装置において、相手先に対応してファクシミリ通信用の電話番号と、電子メールアドレスと、カラー受信機能の有無とを登録する手段と、カラー送信の選択手段と、送信情報を電子メールの添付ファイルとして送信を実行する手段と、カラー送信が選択され、相手機にカラー受信機能がないとモノクロ送信を許可するか否かを選択する手段とを有し、情報送信が選択され、カラー送信の選択の有無と、相手先のカラー受信機能の有無と、電子メールアドレスの登録の有無とに基づいて、電子メール送信を優先的に実行でき、カラー情報の送信が選択されていないときは、電子メールアドレスの登録の有無に基づいて、電子メール送信を優先的に実行でき、カラー情報の送信が選択されているときは、相手受信機のカラー受信機の有無の登録情報に基づいて、カラーでの電子メール送信、カラーでのファクシミリ送信、モノクロでの電子メール送信、モノクロでのファクシミリ送信、送信中断のいずれかであることを決定することができ、これらの制御をファクシミリ装置が自動決定するので、ユーザにとっては使い易いという効果を奏する。
【図面の簡単な説明】
【図１】本発明の第１の実施例であるファクシミリ装置ＦＳ１のブロック図である。
【図２】上記実施例において、ワンタッチダイヤルに対応して、ＦＡＸ番号、電子メールアドレス、カラー受信機能の有無がメモリ回路１８に登録されている例を示す図である。
【図３】上記実施例において、カラー送信が選択され、相手機にカラー受信機能がない場合に、モノクロ送信を許可するか否かが登録されている例を示す図である。
【図４】上記実施例の動作を示すフローチャートである。
【図５】上記実施例の動作を示すフローチャートである。
【図６】上記実施例の動作を示すフローチャートである。
【図７】上記実施例の動作を示すフローチャートである。
【図８】本発明の第２の実施例の動作を示すフローチャートであり、第１の実施例における動作と異なる動作のみが示されている。
【符号の説明】
ＦＳ１…ファクシミリ装置、
１４…読取回路、
１６…記録回路、
１８…メモリ回路、
２０…操作部、
２２…ＣＰＵ、
２４…ＲＯＭ。
【図１】
2004088669.tif 000003
【図２】
2004088669.tif 000004
【図３】
2004088669.tif 000005
【図４】
2004088669.tif 000006
【図５】
2004088669.tif 000007
【図６】
2004088669.tif 000008
【図７】
2004088669.tif 000009
【図８】
2004088669.tif 000010